(57)【特許請求の範囲】
【請求項１】
高圧の圧縮空気を供給するエアーコンプレッサ、 該エアーコンプレッサから供給される圧縮空気を用いて弾丸を発射する少なくとも一つ以上の発射装置、前記エアーコンプレッサから発生された圧縮空気を分配受けて高圧の弾丸発射圧を弾丸発射圧管を通じて前記発射装置に供給する弾丸発射圧供給手段、
前記エアーコンプレッサから発生された圧縮空気が分配されて低圧の弾丸供給圧を弾丸供給圧管を通じて発射装置に供給する弾丸供給圧供給手段、前記エアーコンプレッサと高圧管で連結されて前記エアーコンプレッサから発生した圧縮空気を前記弾丸発射圧供給手段と弾丸供給圧供給手段に分配する圧力分配バルブ、前記弾丸供給圧供給手段と発射装置間の弾丸供給管に連結されて前記発射装置に弾丸を供給する弾丸供給装置、及び発射された弾丸を回収して前記弾丸供給装置に移送する前に不純物及び損傷された弾丸を選別して廃棄する弾丸選別装置で構成したものであって、
前記弾丸発射圧供給手段は、前記弾圧発射圧管に設置されて圧縮空気の圧力を調節するための弾丸発射圧調節バルブ及びこれと前記圧力分配バルブとの間に設置されて圧縮空気を臨時貯蔵する補助タンクで構成し、
前記弾丸供給圧供給手段は、前記弾丸供給圧管に設置されて圧縮空気の圧力を減圧させるための減圧バルブ、該減圧バルブと前記発射装置との間に設置されて前記減圧バルブから減圧された空気圧を調節する一つ以上の弾丸供給圧調節バルブ、及び該弾丸供給圧調節バルブと前記発射装置との間に設置されて選択された発射装置で空気圧を供給する低圧制御バルブで構成し、
前記弾丸供給装置は、下部に弾丸排出ホールが形成された直方体の弾丸収容部及び前記弾丸排出ホールから排出される弾丸を発射装置に向けて強制に移送する弾丸供給部で構成し、
前記弾丸供給部は、表面に弾丸を収容することができる螺旋状の溝が形成された円筒状弾丸移送軸、弾丸移送軸を回転させる駆動手段、弾丸を前記螺旋状溝に落とす垂直移送溝と螺旋状溝に収容された弾丸が発射装置に向けて移送されるように前記螺旋状溝と協動するガイド溝が形成されたプレート、及び前記ガイド溝の外部に排出される弾丸を空気圧によって最終的に発射装置に送る弾丸移送手段で構成し、
前記弾丸選別装置は、前記回収された弾丸が前方にころがって行けるように前方に向けて所定角度で下向きに傾くように設置したベースプレート、前記ベースプレートの前方端部に垂直に該ベースプレートと離隔されるように設置する整列プレート、前記整列プレートの一側に連結する一方、弾丸の直径より少し大きい間隔をおいて前記ベースプレートと離隔されるように設置して弾丸を整列プレート方向に案内するようにするガイドプレート、外周面に螺旋状溝を備え前記ベースプレートと整列プレート間の間隔によって一段に整列された弾丸の列と平行に配置した駆動選別棒、この駆動選別棒と略弾丸の直径だけ離隔されるように設置した従動選別棒、及び前記駆動選別棒に回転力を提供する駆動手段で構成することと同時に、前記駆動選別棒の螺旋状溝はその深さによって互いに異なる三つの区間に分けて、第１区間は、前記螺旋状溝の一番内側と前記従動選別棒間の間隔が正常大きさの弾丸の直径より小さく形成して正常大きさの弾丸より小さな大きさを持つ弾丸や不純物を分離させるようにし、第２区間は、前記螺旋状溝の一番内側と前記従動選別棒間の間隔が正常大きさの弾丸の直径よりやや大きく形成して正常大きさの弾丸を分離させるようにし、第３区間は、前記駆動選別棒の直径を小さくして前記駆動選別棒と従動選別棒との間隔を広く形成して規格より大きさが大きくなった弾丸や不純物を分離させるようにし、
前記発射装置は、前記低圧制御バルブと連結された低圧の弾丸装填管、前記弾丸発射圧調節バルブと連結された高圧の弾丸発射管、前記弾丸発射管と連結された銃口、及び前記弾丸装填管から前記弾丸発射管に前記弾丸を移動させて銃口を通じて発射する引金、この引金の移動を感知する引金感知センサーを持つ空気銃と前記引金感知センサーの信号にしたがって空気圧の伝達を制御する制御部で構成されたことを特徴とする圧縮空気を用いた射撃ゲーム機。
【請求項２】
高圧の圧縮空気を供給するエアーコンプレッサ、 該エアーコンプレッサから供給される圧縮空気を用いて弾丸を発射する少なくとも一つ以上の発射装置、前記エアーコンプレッサから発生された圧縮空気を分配受けて高圧の弾丸発射圧を弾丸発射圧管を通じて前記発射装置に供給する弾丸発射圧供給手段、
前記エアーコンプレッサから発生された圧縮空気が分配されて低圧の弾丸供給圧を弾丸供給圧管を通じて発射装置に供給する弾丸供給圧供給手段、前記エアーコンプレッサと高圧管で連結されて前記エアーコンプレッサから発生した圧縮空気を前記弾丸発射圧供給手段と弾丸供給圧供給手段に分配する圧力分配バルブ、前記弾丸供給圧供給手段と発射装置間の弾丸供給管に連結されて前記発射装置に弾丸を供給する弾丸供給装置、及び発射された弾丸を回収して前記弾丸供給装置に移送する前に不純物及び損傷された弾丸を選別して廃棄する弾丸選別装置で構成したものであって、
前記弾丸発射圧供給手段は、前記弾圧発射圧管に設置されて圧縮空気の圧力を調節するための弾丸発射圧調節バルブ及びこれと前記圧力分配バルブとの間に設置されて圧縮空気を臨時貯蔵する補助タンクで構成し、
前記弾丸供給圧供給手段は、前記弾丸供給圧管に設置されて圧縮空気の圧力を減圧させるための減圧バルブ、該減圧バルブと前記発射装置との間に設置されて前記減圧バルブから減圧された空気圧を調節する一つ以上の弾丸供給圧調節バルブ、及び該弾丸供給圧調節バルブと前記発射装置との間に設置されて選択された発射装置で空気圧を供給する低圧制御バルブで構成し、
前記弾丸供給装置は、下部に弾丸排出ホールが形成された直方体の弾丸収容部及び前記弾丸排出ホールから排出される弾丸を発射装置に向けて強制に移送する弾丸供給部で構成し、
前記弾丸供給部は、表面に弾丸を収容することができる螺旋状の溝が形成された円筒状弾丸移送軸、弾丸移送軸を回転させる駆動手段、弾丸を前記螺旋状溝に落とす垂直移送溝と螺旋状溝に収容された弾丸が発射装置に向けて移送されるように前記螺旋状溝と協動するガイド溝が形成されたプレート、及び前記ガイド溝の外部に排出される弾丸を空気圧によって最終的に発射装置に送る弾丸移送手段で構成し、
前記弾丸選別装置は、前記回収された弾丸が前方にころがって行けるように前方に向けて所定角度で下向きに傾くように設置したベースプレート、前記ベースプレートの前方端部に垂直に該ベースプレートと離隔されるように設置する整列プレート、前記整列プレートの一側に連結する一方、弾丸の直径より少し大きい間隔をおいて前記ベースプレートと離隔されるように設置して弾丸を整列プレート方向に案内するようにするガイドプレート、外周面に螺旋状溝を備え前記ベースプレートと整列プレート間の間隔によって一段に整列された弾丸の列と平行に配置した駆動選別棒、この駆動選別棒と略弾丸の直径だけ離隔されるように設置した従動選別棒、及び前記駆動選別棒に回転力を提供する駆動手段で構成することと同時に、前記駆動選別棒の螺旋状溝の深さは一定するようにして従動選別棒の直径を３段階に異なって形成して前記駆動選別棒と従動選別棒間の間隔を三つの区間に分けて、第１区間は、正常大きさの弾丸の直径より小さく形成して正常大きさの弾丸より小さな大きさを持つ弾丸や不純物を分離させるようにし、第２区間は、正常大きさの弾丸の直径よりやや大きく形成して正常大きさの弾丸を分離させるようにし、第３区間は、広く形成して規格より大きさが大きくなった弾丸や不純物を分離させるようにし、
前記発射装置は、前記低圧制御バルブと連結された低圧の弾丸装填管、前記弾丸発射圧調節バルブと連結された高圧の弾丸発射管、前記弾丸発射管と連結された銃口、及び前記弾丸装填管から前記弾丸発射管に前記弾丸を移動させて銃口を通じて発射する引金、この引金の移動を感知する引金感知センサーを持つ空気銃と前記引金感知センサーの信号にしたがって空気圧の伝達を制御する制御部で構成されたことを特徴とする圧縮空気を用いた射撃ゲーム機。
【請求項３】
前記弾丸移送手段は、前記ガイド溝と前記発射装置を連結する弾丸移送ホール及びこの弾丸移送ホールに圧縮空気を吹き入れる空圧供給ホールを備えた固定ブロックで形成して弾丸移送ホールから排出される弾丸を空気圧によって発射装置に押すように構成したことを特徴とする請求項１又は請求項２に記載の圧縮空気を用いた射撃ゲーム機。
【請求項４】
前記空圧供給ホールに圧縮空気を供給する空圧供給手段を更に含むことを特徴とする請求項１又は請求項２に記載の圧縮空気を用いた射撃ゲーム機。
【請求項５】
前記弾丸選別部駆動手段は駆動選別棒を回転させるモータにするが、前記モータの回転軸と前記駆動選別棒との間にモータ過負荷防止装置を設置して前記駆動選別棒と従動選別棒との間に不純物が付いて駆動選別棒が回転することができなくなるとモータが空回しをするようにしたことを特徴とする請求項１又は請求項２に記載の圧縮空気を用いた射撃ゲーム機。
【請求項６】
前記モータ過負荷防止装置は、モータの回転軸に設置される第１カップリング、前記駆動選別棒の回転軸に設置される第２カップリング、及び正常状態では、第１カップリングに第２カップリングが固定されるようにしてモータの回転力が前記駆動選別棒に伝達されるようにすることと同時に前記駆動選別棒が回転することができなくなる非正常状態では第１カップリングに対して第２カップリングがすべり運動するようにしてモータが空回りする少なくとも一つの動力伝達手段で構成されたことを特徴とする請求項５に記載の圧縮空気を用いた射撃ゲーム機。
【請求項７】
前記動力伝達手段は、第１カップリングの先端部に所定深さで形成した挿入溝、この挿入溝内に設置される弾性部材、この弾性部材によって挿入溝内に往復移動することができるように弾性支持されるボール、前記挿入溝の入口に第１カップリングの先端面と平面となるように設置して前記挿入溝に挿入されたボールの一部のみが外側に突出するようにするボールの直径より小さな大きさの内径を持ったリング、及び第２カップリングの第１カップリングとの接面に前記ボールの一部分が挿入されるように形成されたボール挿入溝で構成されたことを特徴とする請求項６に記載の圧縮空気を用いた射撃ゲーム機。
【請求項８】
前記動力伝達手段が放射形に四つ設置して構成されたことを特徴とする請求項７に記載の圧縮空気を用いた射撃ゲーム機。
【請求項９】
前記弾性部材はコイルスプリングにしたことを特徴とする請求項８に記載の圧縮空気を用いた射撃ゲーム機。
【請求項１０】
前記エアーコンプレッサから水分を排出する水分排出管及び上記水分排出管の一端に設置される水分乾燥手段を含むことを特徴とする請求項１又は請求項２に記載の圧縮空気を用いた射撃ゲーム機。
【請求項１１】
前記エアーコンプレッサと圧力分配バルブ間の高圧管に設置して前記圧縮空気に含まれている不純物及び水分を取り除く空気フィルターを含むことを特徴とする請求項１０に記載の圧縮空気を用いた射撃ゲーム機。
【請求項１２】
前記引金は引金体、該引金体の前方に突出されるように形成して前記引金感知センサー内に挿入されるようにした感知部、前記引金体の後方に突出されるように形成して前記弾丸装填管に装填された弾丸を押して弾丸発射管に移動させるプッシュ部、及び前記引金体と空気銃本体との間に介在されて引金に復元力を提供する弾性部材で構成されたことを特徴とする請求項１又は請求項２に記載の圧縮空気を用いた射撃ゲーム機。
【発明の詳細な説明】
【０００１】
【発明の属する技術分野】
本発明は圧縮空気を用いた射撃ゲーム機に関し、より詳しくは弾丸供給装置から供給される弾丸を低圧の空気圧を用いて発射装置に移送し、前記発射装置に移送された弾丸を高圧の空気圧を用いて発射する射撃ゲーム機に関するものである。
【０００２】
【従来の技術】
銃や矢のような発射装置を用いて前方のターゲットを撃つゲームは広く知られており、最近、コンピューターを用いたシミュレーション射撃ゲームも多様に開発している。なかんずく、圧縮空気を用いて弾丸を発射する射撃ゲームは銃から実弾が発射されるもので、弾丸発射時の振動や激発音などはゲームの迫真感を増す。更に、ターゲットが人形のような景品である場合、遊戯者は多様な景品を選択できるだけでなく、命中時には直ちに景品を得る楽しみも感じることができ、テーマパークや娯楽室などで人気のあるゲームの一つである。
【０００３】
ところが、従来の圧縮空気を用いた射撃ゲーム機は、エアーコンプレッサから発生する圧縮空気を数個の発射装置に供給しているので、空気圧が同時使用中の発射装置の個数に従って変わり、発射装置とエアーコンプレッサとの距離に従って変わることもあって、信頼すべき弾丸の発射速度や直進性を期待しにくい。
【０００４】
なお、射撃ゲーム機の内部に設置されているエアーコンプレッサから発生する水分は集水容器に溜まることになるが、集水容器を適期に空けなければ水が溢れてしまって射撃装置の内部を汚染させ、射撃ゲーム機の部品を腐食させやすい。
【０００５】
射撃ゲーム機の内部の清潔を保ち、部品の腐食を防ぐために周期的な排水のことが必要となるが、これは射撃ゲーム機の維持保守に多くの手間がかかる。
【０００６】
従来の射撃ゲーム機の弾丸供給装置は、弾丸収容部の大きさが小さくて多数の弾丸を速やかに空圧銃に供給することが混乱であり、装置の機械的な構成が複雑だけでなく、ソレノイドの連続的なオン、オフのことによって装置が作動するので機械的に安定でなく、故障が頻繁であるという問題点がある。また、弾丸を空気圧を用いてブロックの連通部から発射装置まで移送しなげればならないので空気圧により弾丸を移送する距離が長すぎになり、弾丸の供給位置と発射装置の位置との高さの差が大きい場合、弾丸の供給が円滑に行われないという問題点がある。
【０００７】
このような空圧を用いた弾丸発射ゲーム機を運営していれば、弾丸が破れるか砕かれて規格より小さくなったり、ターゲットやゲーム機の内壁にぶつかる衝撃によって破れてしまい、楕円状に変形して長半径が規格より大きくなるようなことがしばしば発生する。
【０００８】
従来の射撃ゲーム機の弾丸選別装置は、非正常的に変形した弾丸を選別するこたができないので、いろいろな問題点を誘発することになる。
【０００９】
更に、従来の射撃ゲーム機の弾丸発射装置は、空圧銃の内部に設置され弾丸を移動させるスプール、前記スプールを作動させるソレノイドバルブ及び前記ソレノイドバルブに空圧を伝達する別の空圧伝達管などの必要な部品点数が多くて製造コストが上乗し、構造が複雑で組立てが容易でなく、生産性が低下するという短所があり、遊戯者の使用上の不注意や衝撃によって電気的に作動するソレノイドバルブ及び空圧伝達管が故障することが頻繁なので、製品の信頼性が落ちるという問題点がある。
【００１０】
【発明が解決しようとする課題】
従って、本発明は前記の問題点を解決するために案出したものであって、本発明はエアーコンプレッサから発生した圧縮空気を、使用中の発射装置の個数や発射装置とエアーコンプレッサとの距離等に関係なく、多数個の発射装置に均一な圧力で供給することができる射撃ゲーム機を提供することにその目的がある。
【００１１】
本発明の他の目的は射撃ゲーム機の内部に設置されているエアーコンプレッサから発生する水分を自動的に乾燥させることによって、射撃ゲーム機の維持保守にかかる手間を省くことができる射撃ゲーム機を提供することにある。
【００１２】
本発明のまた他の目的は多数の弾丸を一定間隔で空圧用射撃ゲーム機に供給し続けることができる射撃ゲーム機の弾丸供給装置を提供することにある。
【００１３】
本発明の更に他の目的は装置の簡単な構造によって故障の恐れが少ない射撃ゲーム機の弾丸供給装置を提供することにある。
【００１４】
本発明の更に他の目的は安定的に弾丸を供給することができる射撃ゲーム機の弾丸供給装置を提供することにある。
【００１５】
本発明の更に他の目的は破れたり潰れたりした不良弾丸及び不純物を分離して正常弾丸のみを供給することができる射撃ゲーム機の弾丸供給装置を提供することにある。
【００１６】
本発明の更に他の目的は破れるか砕かれて正常弾丸より小さくなった不良弾丸だけでなく、潰れて正常弾丸より大きくなった不良弾丸及び不純物を分離し正常弾丸を選別することができる射撃ゲーム機の弾丸選別装置を提供することにある。
【００１７】
本発明の更に他の目的は弾丸の移送及び選別作業が円滑に行われることによって、早い時間内に正常弾丸を選別することができる射撃ゲーム機の弾丸選別装置を提供することにある。
【００１８】
本発明の更に他の目的はモーターの回転力を回転軸にキチンと伝達する一方、回転物体が回転を行わない場合、直ちにモーターの回転力を遮断してモーター過負荷の発生を防ぐことによって、モーターの損傷を防止することができる射撃ゲーム機のモーター過負荷防止装置を提供することにある。
【００１９】
本発明の更に他の目的は装置の簡単な機械的構成によって故障の恐れがなく、安定的に作動することができる射撃ゲーム機のモーター過負荷防止装置を提供することにある。
【００２０】
本発明の更に他の目的は簡単な構造によって組立てが容易し、製造コストを節減して生産性を増大させることができると共に、低い故障率によって製品の信頼度を高めることができる射撃ゲーム機の発射装置を提供することにある。
【００２１】
【課題を解決するための手段】
上記目的を達成するために、本発明の請求項１に記載の空圧を用いた射撃ゲーム機は、ハウジングと前記ハウジングの内部に設置されるエアーコンプレッサと前記エアーコンプレッサから発生する圧縮空気を用いて弾丸を発射する少なくとも一つ以上の発射装置を含む圧縮空気を用いた射撃ゲーム機であって、前記エアーコンプレッサから発生する圧縮空気を用いて前記発射装置が弾丸を発射することができるように高圧の弾丸発射圧を前記発射装置に供給する弾丸発射圧供給手段と、前記エアーコンプレッサーから発生する圧縮空気を用いて弾丸が前記発射装置に供給されることができるように低圧の弾丸供給圧を提供する弾丸供給圧供給手段と、前記エアーコンプレッサ、発射装置、弾丸発射圧供給手段及び弾丸供給圧供給手段を制御するため、これらと電気的に連結されているコントローラとからなることを特徴とするものである。
【００２２】
本発明の請求項２に記載の空圧を用いた射撃ゲーム機は、請求項１の構成に加えて、前記弾丸発射圧供給手段は、前記エアーコンプレッサと前記発射装置を連結する弾丸発射圧管上に設置され、前記発射装置に供給される圧縮空気の圧力を調節するための弾丸発射圧調節バルブを含むことを特徴とするものである。
【００２３】
本発明の請求項３に記載の空圧を用いた射撃ゲーム機は、請求項２の構成に加えて、前記弾丸発射圧供給手段は、前記エアーコンプレッサと弾丸発射圧調節バルブの間に設置され、前記エアーコンプレッサから分配された圧縮空気を臨時貯蔵するための補助タンクを更に含むことを特徴とするものである。
【００２４】
本発明の請求項４に記載の空圧を用いた射撃ゲーム機は、請求項１の構成に加えて、前記弾丸供給圧供給手段は、前記エアーコンプレッサと前記発射装置を連結する弾丸供給圧管上に設置され、前記エアーコンプレッサから分配された圧縮空気の圧力を減圧させるための減圧バルブを含むことを特徴とするものである。
【００２５】
本発明の請求項５に記載の空圧を用いた射撃ゲーム機は、請求項４の構成に加えて、前記弾丸供給圧供給手段は、前記減圧バルブと前記発射装置の間に設置され、前記減圧バルブから減圧された空気圧を調節するための少なくとも一つ以上の弾丸供給圧調節バルブを更に含むことを特徴とするものである。
【００２６】
本発明の請求項６に記載の空圧を用いた射撃ゲーム機は、請求項４の構成に加えて、前記弾丸供給圧供給手段は、前記弾丸供給圧調節バルブと前記発射装置の間に設置され、選択された発射装置に空気圧を供給するための低圧制御バルブを更に含むことを特徴とするものである。
【００２７】
本発明の請求項７に記載の空圧を用いた射撃ゲーム機は、請求項５の構成に加えて、前記弾丸供給圧供給手段は、前記弾丸供給圧調節バルブと前記発射装置の間に設置され、選択された発射装置に空気圧を供給するための低圧制御バルブを更に含むことを特徴とするものである。
【００２８】
本発明の請求項８に記載の空圧を用いた射撃ゲーム機は、請求項１の構成に加えて、前記射撃ゲーム機は、前記エアーコンプレッサと前記弾丸発射圧供給手段を連結する前記高圧管の内側に配置され、前記エアーコンプレッサから発生した圧縮空気に含まれている不純物及び水分を取り除くための空気フィルターを更に含むことを特徴とするものである。
【００２９】
本発明の請求項９に記載の空圧を用いた射撃ゲーム機は、請求項１の構成に加えて、前記射撃ゲーム機は、前記エアーコンプレッサと前記弾丸供給圧供給手段を連結する前記高圧管の内側に配置され前記エアーコンプレッサから発生した圧縮空気に含まれている不純物及び水分を取り除くための空気フィルターを更に含むことを特徴とするものである。
【００３０】
本発明の請求項１０に記載の空圧を用いた射撃ゲーム機は、請求項８の構成に加えて、前記射撃ゲーム機は、前記エアーコンプレッサと前記弾丸供給圧供給手段を連結する前記高圧管の内側に配置され、前記エアーコンプレッサから発生した圧縮空気に含まれている不純物及び水分を取り除くための空気フィルターを更に含むことを特徴とするものである。
【００３１】
本発明の請求項１１に記載の空圧を用いた射撃ゲーム機は、請求項１の構成に加えて、前記射撃ゲーム機は、前記エアーコンプレッサから発生する水分を乾燥させるための水分乾燥手段を更に含むことを特徴とするものである。
【００３２】
本発明の請求項１２に記載の空圧を用いた射撃ゲーム機は、ハウジングと前記ハウジングの内部に設置されるエアーコンプレッサと前記エアーコンプレッサから発生する圧縮空気を用いて弾丸を発射する少なくとも一つ以上の発射装置を含む圧縮空気を用いた射撃ゲーム機であって、前記エアーコンプレッサから発生する圧縮空気を用いて前記発射装置が弾丸を発射することができるように高圧の弾丸発射圧を前記発射装置に供給する弾丸発射圧供給手段と、前記エアーコンプレッサから発生する圧縮空気を用いて弾丸が前記発射装置に供給されることができるように低圧の弾丸供給圧を提供する弾丸供給圧供給手段と、前記エアーコンプレッサと高圧管に連結され、前記エアーコンプレッサから発生した圧縮空気を前記弾丸発射圧供給手段と前記弾丸供給圧供給手段に分配するための圧力分配バルブと、前記エアーコンプレッサ、発射装置、弾丸発射圧供給手段、弾丸供給圧供給手段、及び圧力分配バルブを制御するため、これらと電気的に連結されているコントローラとからなることを特徴とするものである。
【００３３】
本発明の請求項１３に記載の空圧を用いた射撃ゲーム機は、請求項１２の構成に加えて、前記弾丸発射圧供給手段は、前記圧力分配バルブと前記発射装置を連結する弾丸発射圧管上に設置され、前記発射装置に供給される圧縮空気の圧力を調節するための弾丸発射圧調節バルブを含むことを特徴とするものである。
【００３４】
本発明の請求項１４に記載の空圧を用いた射撃ゲーム機は、請求項１３の構成に加えて、前記弾丸発射圧供給手段は、前記圧力分配バルブと発射装置の間に設置され、前記圧力分配バルブから分配された圧縮空気を臨時貯蔵するための補助タンクを更に含むことを特徴とするものである。
【００３５】
本発明の請求項１５に記載の空圧を用いた射撃ゲーム機は、請求項１２の構成に加えて、前記弾丸供給圧供給手段は、前記圧力分配バルブと前記発射装置を連結する弾丸供給圧管上に設置され、前記圧力分配バルブから分配された圧縮空気の圧力を減圧させるための減圧バルブを含むことを特徴とするものである。
【００３６】
本発明の請求項１６に記載の空圧を用いた射撃ゲーム機は、請求項１５の構成に加えて、前記弾丸供給圧供給手段は、前記減圧バルブと前記発射装置の間に設置され、前記減圧バルブから減圧された空気圧を調節するための少なくとも一つ以上の弾丸供給圧調節バルブを更に含むことを特徴とするものである。
【００３７】
本発明の請求項１７に記載の空圧を用いた射撃ゲーム機は、請求項１５の構成に加えて、前記弾丸供給圧供給手段は前記弾丸供給圧調節バルブと前記発射装置の間に設置され、選択された発射装置に空気圧を供給するための低圧制御バルブを更に含むことを特徴とするものである。
【００３８】
本発明の請求項１８に記載の空圧を用いた射撃ゲーム機は、請求項１６の構成に加えて、前記弾丸供給圧供給手段は、前記弾丸供給圧調節バルブと前記発射装置の間に設置され、選択された発射装置に空気圧を供給するための低圧制御バルブを更に含むことを特徴とするものである。
【００３９】
本発明の請求項１９に記載の空圧を用いた射撃ゲーム機は、請求項１２の構成に加えて、前記射撃ゲーム機は、前記エアーコンプレッサと前記圧力分配バルブを連結する前記高圧管の内側に配置され、前記エアーコンプレッサから発生する圧縮空気に含まれている不純物及び水分を取り除くための空気フィルターを更に含むことを特徴とするものでる。
【００４０】
本発明の請求項２０に記載の空圧を用いた射撃ゲーム機は、請求項１２の構成に加えて、前記射撃ゲーム機は前記エアーコンプレッサから発生する水分を乾燥させるための水分乾燥手段を更に含むことを特徴とするものである。
【００４１】
本発明の請求項２１に記載の空圧を用いた射撃ゲーム機は、ハウジングと前記ハウジングの内部に設置されるエアーコンプレッサと前記エアーコンプレッサから発生する圧縮空気を用いて弾丸を発射する少なくとも一つ以上の発射装置を含む圧縮空気を用いた射撃ゲーム機であって、前記エアーコンプレッサと高圧管に連結され、前記エアーコンプレッサから発生した圧縮空気を弾丸発射圧と弾丸供給圧に分配するための圧力分配バルブと、前記圧力分配バルブと前記発射装置を連結する弾丸発射圧管上に設置され、前記発射装置に供給される圧縮空気の圧力を調節するための弾丸発射圧調節バルブと、前記圧力分配バルブと前記発射装置を連結する弾丸供給圧管上に設置され、前記圧力分配バルブから分配された圧縮空気の圧力を減圧させるための減圧バルブと、前記エアーコンプレッサ、発射装置、圧力分配バルブ、弾丸発射圧調節バルブ、及び減圧バルブを制御するため、これらと電気的に連結されたコントローラとからなることを特徴とするものである。
【００４２】
本発明の請求項２２に記載の空圧を用いた射撃ゲーム機は、請求項２１の構成に加えて、前記射撃ゲーム機は、前記圧力分配バルブと発射装置の間に設置され、前記圧力分配バルブから分配された圧縮空気を臨時貯蔵するための補助タンクを更に含むことを特徴とするものである。
【００４３】
本発明の請求項２３に記載の空圧を用いた射撃ゲーム機は、請求項２１の構成に加えて、前記射撃ゲーム機は、前記減圧バルブと前記発射装置の間に設置され、前記減圧バルブから減圧された空気圧を調節するための少なくとも一つ以上の弾丸供給圧調節バルブを更に含むことを特徴とするものである。
【００４４】
本発明の請求項２４に記載の空圧を用いた射撃ゲーム機は、請求項２３の構成に加えて、前記射撃ゲーム機は、前記弾丸供給圧調節バルブと前記発射装置の間に設置され、選択された発射装置に空気圧を供給するための低圧制御バルブを更に含むことを特徴とするものである。
【００４５】
本発明の請求項２５に記載の空圧を用いた射撃ゲーム機は、請求項２１の構成に加えて、前記射撃ゲーム機は、前記エアーコンプレッサの水分排出管の一端に設置され、エアーコンプレッサから発生する水分を乾燥させるための水分乾燥手段を更に含むことを特徴とするものである。
【００４６】
本発明の請求項２６に記載の空圧を用いた射撃ゲーム機は、請求項２１の構成に加えて、前記射撃ゲーム機は、前記エアーコンプレッサと前記圧力分配バルブを連結する前記高圧管の内側に配置され、前記エアーコンプレッサから発生する圧縮空気に含まれている不純物及び水分を取り除くための空気フィルターを含むことを特徴とするものである。
【００４７】
本発明の請求項２７に記載の空圧を用いた射撃ゲーム機は、ハウジングと前記ハウジングの内部に設置されるエアーコンプレッサと、前記エアーコンプレッサから発生する圧縮空気を用いて弾丸を発射する少なくとも一つ以上の発射装置とを含む圧縮空気を用いた射撃ゲーム機であって、前記エアーコンプレッサと空圧管に連結され、前記エアーコンプレッサから発生する圧縮空気を弾丸発射圧と弾丸供給圧に分配するための圧力分配バルブと、前記エアーコンプレッサと前記圧力分配バルブを連結する前記高圧管の内側に配置され、前記エアーコンプレッサから発生する圧縮空気に含まれている不純物及び水分を取り除くための空気フィルターと、前記圧力分配バルブと前記発射装置を連結する弾丸発射圧管上に設置され、前記発射装置に供給される圧縮空気の圧力を調節するための弾丸発射圧調節バルブと、前記圧力分配バルブと発射装置の間に設置され、前記圧力分配バルブから分配された圧縮空気を臨時貯蔵するための補助タンクと、前記圧力分配バルブと前記発射装置を連結する弾丸供給圧管上に設置され、前記圧力分配バルブから分配された圧縮空気の圧力を減圧させるための減圧バルブと、前記減圧バルブと前記発射装置の間に設置され、前記減圧バルブから減圧された空気圧を調節するための少なくとも一つ以上の弾丸供給圧調節バルブと、前記弾丸供給圧調節バルブと前記発射装置の間に設置され、選択された発射装置に空気圧を供給するための低圧制御バルブと、前記エアーコンプレッサの水分排出管の一端に設置され、エアーコンプレッサから発生する水分を乾燥させるための水分乾燥手段と、前記エアーコンプレッサ、発射装置、圧力分配バルブ、弾丸発射圧調節バルブ、減圧バルブ、弾丸供給圧調節バルブ、及び低圧制御バルブを制御するため、これらと電気的に連結されたコントローラとからなることを特徴とするものである。
【００４８】
本発明の請求項２８に記載の空圧を用いた射撃ゲーム機は、請求項１の構成に加えて、前記射撃ゲーム機は、弾丸供給装置を更に含むことを特徴とするものである。
【００４９】
本発明の請求項２９に記載の空圧を用いた射撃ゲーム機は、請求項２８の構成に加えて、前記弾丸供給装置は、底面に弾丸排出ホールが形成された弾丸収容部と、前記弾丸収容部の下端に設置され、前記弾丸排出ホールから排出される弾丸を移送させるための弾丸移送軸と、前記弾丸移送軸の一端部に設置され、弾丸移送軸を回転させる駆動手段と、前記弾丸移送軸から移送される弾丸を発射装置に供給するように前記弾丸移送軸と発射装置を連結させる弾丸移送手段と、前記弾丸移送手段に空気圧を供給して弾丸を発射装置に移送する空圧供給手段とを含んで構成されることを特徴とするものである。
【００５０】
本発明の請求項３０に記載の空圧を用いた射撃ゲーム機は、請求項２９の構成に加えて、前記弾丸移送軸の外周面には、弾丸の挿入が可能な螺旋状の溝が形成されることを特徴とするものである。
【００５１】
本発明の請求項３１に記載の空圧を用いた射撃ゲーム機は、請求項３０の構成に加えて、前記弾丸収容部の下部には、前記弾丸排出ホールと連通する垂直ホールが形成され、前記弾丸移送軸の外周面に形成された螺旋状の溝に挿入された弾丸をガイドするガイド溝が形成されたプレートが設置されることを特徴とするものである。
【００５２】
本発明の請求項３２に記載の空圧を用いた射撃ゲーム機は、請求項３１の構成に加えて、前記プレートの両側には前記弾丸移送軸の両端部を固定させるための第１支持プレートと第２支持プレートが設置され、前記第２支持プレートには前記プレートのガイド溝と弾丸移送軸の螺旋状溝との間に置かれて移送されてきた弾丸が挿入可能なホールが貫通して形成されることを特徴とするものである。
【００５３】
本発明の請求項３３に記載の空圧を用いた射撃ゲーム機は、請求項３２の構成に加えて、前記ガイド溝は正常弾丸の所定部分のみの挿入が可能な大きさに形成され、前記螺旋状溝とガイド溝との間隔は正常弾丸の直径よりやや大きく形成されて、正常弾丸より小さくなった弾丸が前記螺旋状の溝に挿入された場合、前記ガイド溝に留らず落ちてしまい、排出されることを特徴とするものである。
【００５４】
本発明の請求項３４に記載の空圧を用いた射撃ゲーム機は、請求項２９の構成に加えて、前記弾丸移送手段は、弾丸を移送するための弾丸移送ホールが形成され、前記弾丸移送ホールに空気圧を供給するように弾丸移送ホールに連通する空圧供給ホールが形成される固定ブロックと、一端は前記弾丸移送軸により移送される弾丸を収容するように設置され、他端は前記固定ブロックの弾丸移送ホールの一側に連結される第１弾丸移送管と、一端は前記固定ブロックの弾丸移送ホールの他側に連結され、他端は発射装置に連結されて弾丸を移送させるための第２弾丸移送管とから構成されることを特徴とするものである。
【００５５】
本発明の請求項３５に記載の空圧を用いた射撃ゲーム機は、請求項３４の構成に加えて、前記空圧供給手段は、圧縮された空気を発生するエアーコンプレッサと、前記エアーコンプレッサに連結され前記空圧供給ホールに空気圧を供給するように空圧供給ホールに挿入される空気注入管とから構成されることを特徴とするものである。
【００５６】
本発明の請求項３６に記載の空圧を用いた射撃ゲーム機は、請求項２９の構成に加えて、前記弾丸移送手段は、一端は前記螺旋状溝の先端部に連結され、他端は発射装置に連結される管状部材から構成され、前記管状部材の中間部に前記空圧供給手段が連通して設置されることを特徴とするものである。
【００５７】
本発明の請求項３７に記載の空圧を用いた射撃ゲーム機は、請求項１の構成に加えて、前記射撃ゲーム機は、弾丸選別装置を更に含むことを特徴とするものである。
【００５８】
本発明の請求項３８に記載の空圧を用いた射撃ゲーム機は、請求項３７の構成に加えて、前記弾丸選別装置は、回収した弾丸を整列するための弾丸整列手段と、前記弾丸整列手段の前方に配置され、二つの選別棒から構成されて二つの前記選別棒間の間隔によって弾丸を選別する弾丸選別手段と、前記弾丸選別手段の一側に連結され、弾丸選別手段に回転力を提供する駆動手段とを含んで構成されることを特徴とするものである。
【００５９】
本発明の請求項３９に記載の空圧を用いた射撃ゲーム機は、請求項３８の構成に加えて、前記弾丸整列手段は、下向きに傾いて形成されたベースプレートと、前記ベースプレートの前方の端部に垂直に配置され、前記ベースプレートと所定間隔をもって離隔して設置される整列プレートとを含むことを特徴とするものである。
【００６０】
本発明の請求項４０に記載の空圧を用いた射撃ゲーム機は、請求項３９の構成に加えて、前記ベースプレートと離隔せず垂直に配置され、前記整列プレートの一側に連結設置されて弾丸を整列プレートの方向にガイドするガイドプレートが更に設置されることを特徴とするものである。
【００６１】
本発明の請求項４１に記載の空圧を用いた射撃ゲーム機は、請求項３８の構成に加えて、前記弾丸選別手段は、外周面に螺旋状の溝を備えた駆動選別棒と、前記駆動選別棒と離隔して配置された従動選別棒とから構成され、前記螺旋状の溝と前記従動選別棒との間の間隔に弾丸が供給され選別されることを特徴とするものである。
【００６２】
本発明の請求項４２に記載の空圧を用いた射撃ゲーム機は、請求項４１の構成に加えて、前記駆動選別棒の螺旋状溝は、正常弾丸より小さくなった弾丸や不純物を分離するための第１区間と、正常弾丸を分離するための第２区間と、正常弾丸より大きくなった弾丸や不純物を分離するための第３区間とに分けられるように、３段階に中心部の深さを異なって形成されることを特徴とするものである。
【００６３】
本発明の請求項４３に記載の空圧を用いた射撃ゲーム機は、請求項４１の構成に加えて、前記従動選別棒は、正常弾丸より小さくなった弾丸や不純物を分離するための第１区間と、正常弾丸を分離するための第２区間と、正常弾丸より大きくなった弾丸や不純物を分離するための第３区間とに分けられるように、３段階に直径が異なって形成されることを特徴とするものである。
【００６４】
本発明の請求項４４に記載の空圧を用いた射撃ゲーム機は、請求項４１の構成に加えて、前記弾丸選別手段の下部には、選別された正常弾丸を回収し発射装置に供給するための弾丸集合部が設置されることを特徴とするものである。
【００６５】
本発明の請求項４５に記載の空圧を用いた射撃ゲーム機は、請求項４１の構成に加えて、前記駆動手段と駆動選別棒との間に過負荷防止装置を更に含むことを特徴とするものである。
【００６６】
本発明の請求項４６に記載の空圧を用いた射撃ゲーム機は、請求項４５の構成に加えて、前記過負荷防止装置は、前記駆動手段の動力により回転力を伝達する駆動軸に設置される第１カップリングと、前記駆動軸の動力の伝達を受けて作動する出力軸に設置される第２カップリングと、前記第１カップリングから第２カップリングへ駆動手段の回転力を伝達する動力伝達手段とから構成され、前記動力伝達手段は前記第１カップリングの先端部に形成された挿入溝に挿入される弾性部材と、前記挿入溝に挿入された状態で前記弾性部材に安着し往復移動可能なボールとから構成され、前記第２カップリングと第１カップリングとの接面には前記ボールの一部分の挿入が可能なボール挿入溝が形成されることを特徴とするものである。
【００６７】
本発明の請求項４７に記載の空圧を用いた射撃ゲーム機は、請求項４６の構成に加えて、前記差込溝は一定間隔で多数個が形成されることを特徴とするものである。
【００６８】
本発明の請求項４８に記載の空圧を用いた射撃ゲーム機は、請求項４７の構成に加えて、前記差込溝の開口部には離脱防止部材が固定設置されることを特徴とするものである。
【００６９】
本発明の請求項４９に記載の空圧を用いた射撃ゲーム機は、前記発射装置は、請求項１の構成に加えて、本体と、前記弾丸供給圧管に連結され弾丸を装填する弾丸装填管と、前記弾丸発射圧管に連結され弾丸を発射する弾丸発射管と、前記弾丸装填管の弾丸を弾丸発射管に移動させる引金と、前記引金の移動を感知しコントローラを通じてオン/オフバルブの開閉を調節する引金感知センサーとを含んで構成されることを特徴とするものである。
【００７０】
本発明の請求項５０に記載の空圧を用いた射撃ゲーム機は、請求項４９の構成に加えて、前記引金は、引金体と、前記引金体の一側に突出形成されて発射装置内部の引金感知センサーにより位置移動が感知される感知部と、前記引金他の他側に突出形成されて前記弾丸装填管に装填された弾丸を押して弾丸発射管に移動させるプッシュ部と、前記引金体及び発射装置の本体の間に介在されて引金に復元力を提供する弾性部材を含むことを特徴とするものである。
【００７１】
【発明の実施の形態】
以下、本発明の望ましい実施の形態を図面に基づき詳しく説明する。
【００７２】
図１は本発明にかかる射撃ゲーム機を示す概略図である。
【００７３】
図１に示すように、本発明の望ましい一実施の形態による射撃ゲーム機は、ハウジング(示せず)と、前記ハウジングの内部に設置されるエアーコンプレッサ１０と、前記エアーコンプレッサ１０から発生する圧縮空気を用いて弾丸を発射する少なくとも一つ以上の発射装置５０と、前記発射装置５０が前記エアーコンプレッサ１０から発生した圧縮空気を用いて弾丸を発射できるように高圧の弾丸発射圧を前記発射装置５０に供給する弾丸発射圧供給手段３０と、前記エアーコンプレッサ１０から発生した圧縮空気により前記発射装置５０に弾丸が供給されることができるように低圧の弾丸供給圧を提供する弾丸供給圧供給手段４０と、前記エアーコンプレッサ１０と高圧管８０とに連結され、前記エアーコンプレッサ１０から発生した圧縮空気を前記弾丸発射圧供給手段３０と前記弾丸供給圧供給手段４０とに分配するための圧力分配バルブ２０と、前記エアーコンプレッサ１０と前記圧力分配バルブ２０とを連結する前記空圧管８０の内側に配置され、前記エアーコンプレッサ１０から発生した圧縮空気に含まれている不純物及び水分を取り除くための空気フィルター６０とからなる。
【００７４】
前記弾丸発射圧供給手段３０は、前記圧力分配バルブ２０と前記発射装置５０を連結する弾丸発射圧管９０上に設置され前記発射装置５０に供給される圧縮空気の圧力を調節するための弾丸発射圧調節バルブ３１と、前記圧力分配バルブ２０と発射装置５０との間に設置され前記圧力分配バルブ２０から分配された圧縮空気を臨時貯蔵するための補助タンク３５とからなる。
【００７５】
前記弾丸供給圧供給手段４０は、前記圧力分配バルブ２０と前記発射装置５０を連結する弾丸供給圧管９５上に設置され前記圧力分配バルブ２０から分配された圧縮空気の圧力を減圧させるための減圧バルブ４１と、前記減圧バルブ４１と前記発射装置５０との間に設置され前記減圧バルブ４１から減圧された空気圧を調節するための少なくとも一つ以上の弾丸供給圧調節バルブ４３と、前記弾丸供給圧調節バルブ４３と前記発射装置５０との間に設置され選択された発射装置５０に空気圧を供給するための低圧制御バルブ４５とからなる。
【００７６】
前記エアーコンプレッサ１０、発射装置５０、圧力分配バルブ２０、弾丸発射圧調節バルブ３１、減圧バルブ４１、弾丸供給圧調節バルブ４３、及び低圧制御バルブ４５は、これらと電気的に連結されたコントローラ(示せず)により制御される。
【００７７】
以下、上述のように構成された本発明の射撃ゲーム機の作動を説明する。
【００７８】
エアーコンプレッサ１０から発生した圧縮空気は、空気フィルター６０を通過しながら水分及び不純物が取り除かれ、圧力分配バルブ２０により弾丸発射圧管９０と弾丸供給圧管９５とに分配される。
【００７９】
前記弾丸発射圧管９０に分配された圧縮空気は高圧の弾丸発射圧として補助タンク３５に臨時貯蔵され、弾丸発射圧調節バルブ３１により選択的に発射装置５０に供給される。
【００８０】
前記弾丸供給圧管９５に分配された圧縮空気は減圧バルブ４１により低圧の弾丸供給圧として減圧された後、発射装置５０と同数の弾丸供給圧調節バルブ４３によりその圧力が調節される。前記弾丸供給圧調節バルブ４３は、現在使用中の発射装置５０個数の分オンされ、前記弾丸供給圧調節バルブ４３からの圧力は低圧制御バルブ４５により常に一定の圧力で現在使用中の発射装置５０に供給される。
【００８１】
前記低圧制御バルブ４５と発射装置５０との間の弾丸供給圧管９５上には、弾丸供給装置から弾丸が移送される弾丸移送管が連結され、弾丸移送装置から移送された弾丸は前記弾丸供給圧管９５に沿って発射装置５０に供給される。
【００８２】
本発明の他の実施の形態による射撃ゲーム機は、前記の構成に前記エアーコンプレッサ１０から発生する水分を乾燥させる水分乾燥手段７０を更に含む。
【００８３】
前記水分乾燥手段７０は、前記エアーコンプレッサ１０の水分が排出する水分排出管１５の一端に設置される鉄材容器と、前記鉄材容器の底面に設置される熱線とからなり、前記水分排出管１５を通して排出される水分を乾燥させる。前記水分乾燥手段７０は、熱線の設置された鉄材容器に限定されるものでなく、発熱作用ができる装置ならいずれも可能である。
【００８４】
なお、蒸発した水分と前記水分乾燥手段７０から発生した熱を射撃ゲーム機のハウジングの外部に排出させるために、前記ハウジングの一側に換気装置(示せず)を設置することが望ましい。
【００８５】
(弾丸供給装置)
本発明にかかる射撃ゲーム機は弾丸供給装置を含んで構成され、前記弾丸供給装置は弾丸供給圧管に連結され弾丸を射撃装置に供給する。
【００８６】
図２は本発明の弾丸供給装置を示す斜視図である。丸供供給装置は弾丸を受け入れるための直方体の弾丸収容部１０１と弾丸供給部１５０とから構成される。
【００８７】
前記弾丸収容部１０１は底面の中央部に弾丸排出ホール１０１aを有しており、弾丸Bは前記弾丸排出ホール１０１aを通して弾丸供給部１５０のに排出される。
【００８８】
前記弾丸供給部１５０は前記弾丸収容部１０１の下方に設置されており、図３は弾丸供給部１５０を詳しく示している。図３に示しているように、弾丸供給部１５０は垂直ホール１０３aとガイド溝１０３bを有するプレート１０３を含んでおり、前記垂直ホール１０３は前記プレート１０３を上下方向に貫通するように形成されている。また、前記弾丸供給部１５０は前記弾丸移送軸１０２の一端部に設置され弾丸移送軸１０２を回転させる駆動手段１１０と、前記弾丸移送軸１０２により強制移送される弾丸Bを弾丸発射装置５０に供給する弾丸移送手段１３０と、前記弾丸移送手段１３０に空気圧を供給し弾丸を前記発射装置５０に移送する空圧供給手段１４０とを含んで構成される。
【００８９】
前記プレート１０３は前記弾丸収容部１０１と前記弾丸移送軸１０２との間に設置され、弾丸が弾丸収容部から弾丸移送軸１０２に移送される通路を提供する。前記垂直ホール１０３aは弾丸が自由落下できる大きさを有する円筒状を成している。
【００９０】
前記垂直ホール１０３aは前記弾丸収容部の弾丸排出ホール１０１aと連通しており、前記弾丸排出ホール１０１aから排出された弾丸は前記垂直ホール１０３aとガイド溝１０３bに沿って移送される。前記弾丸移送軸１０２はその外表面に螺旋状の溝を有しており、弾丸はその螺旋状の溝に沿って移動する。
【００９１】
前記駆動手段１１０はモータMとカップリング１１１と弾丸移送軸１０２とから構成され、前記弾丸移送軸１０２はモーターにより回転される。
【００９２】
前記プレート１０３の両側には第１支持プレート１０４と第２支持プレート１０６とが取り付けられており、前記弾丸収容部１０１と前記弾丸移送部１５０は前記第１支持プレート１０４と第２支持プレート１０６により相互固定されている。また、前記第２支持プレート１０６には貫通ホール１０６aが形成されており、前記貫通ホール１０６aを通して弾丸は前記弾丸移送軸から脱出することができる。
【００９３】
一方、前記弾丸移送手段１３０は弾丸を前記第２支持プレート１０６の貫通ホール１０６aから発射装置５０まで供給する通路であって、弾丸Bを移送するための弾丸移送ホール１３１aが形成され、前記弾丸移送ホール１３１aに移送される弾丸Bに空気圧を供給する空圧供給ホール１３１bが形成される固定ブロック１３１と、一端は前記貫通ホール１０６aに連結され他端は前記弾丸移送ホール１３１aの一側に連結される第１弾丸移送管１３２と、一端は前記弾丸移送ホール１３１aの他側に連結され他端は発射装置５０に連結される第２弾丸移送管１３３とから構成される。
【００９４】
従って、弾丸Bは前記弾丸移送軸１０２の螺旋状溝１０２aから前記第２支持プレート１０６の貫通ホール１０６aを通過した後、前記第１弾丸移送管１３２に流入され、前記固定ブロック１３１の弾丸移送ホール１３１aを経て、第２弾丸移送管１３３を通して発射装置５０に供給されるのである。
【００９５】
一方、前記空圧供給手段１４０は、圧縮された空気を供給するエアーコンプレッサ(示せず)と、エアーコンプレッサに連結され空圧供給ホール１３１ｂに空気圧を供給するように空圧供給ホール１３１ｂに挿入される空気注入管１４１とから構成される。
【００９６】
従って、空気圧が前記空気注入管１４１と空圧供給ホール１３１ｂとを通して弾丸移送ホール１３１aに供給され、弾丸移送ホール１３１aの弾丸Bは空気圧により発射装置５０に供給されるのである。
【００９７】
ここで、前記弾丸収容部１０１の弾丸Bが連続的に前記弾丸排出ホール１０１aを通して容易に排出され得るように、前記弾丸収容部１０１の底面は前記弾丸排出ホールに向かって下向きに傾けて形成されることが望ましい。ところが、本発明はこれを限定するものではなく、弾丸Bが弾丸収容部１０１から前記弾丸排出ホール１０１aを通して排出され得るようにする構成は省略しても良い。
【００９８】
上述のように構成された弾丸供給装置の作用及び作動を説明すると次の通りである。
【００９９】
まず、弾丸収容部１０１の弾丸Bが底面の弾丸排出ホール１０１aを通して連続的に前記プレート１０３の垂直ホール１０３aに押し込まれると、前記垂直ホール１０３aは弾丸Bが自由落下できる大きさの円筒状のホールであるので、前記弾丸Bは垂直ホール１０３aを通して落下し、前記弾丸移送軸１０２の螺旋状溝１０２aに誘い込まれる。
【０１００】
この時、前記弾丸移送軸１０２は前記モーターMにより継続的に回転を行い、前記螺旋状溝１０２aに誘い込まれた弾丸Bは上部の一定部分が前記ガイド溝１０３b(図４a参照)に挿入された状態でガイド溝１０３bによりガイドされながら図上の右方に移送される。
【０１０１】
この時、弾丸Bは弾丸移送軸１０２の回転による振動、弾丸Bと螺旋状溝１０２aの壁との摩擦などに起因して自体回転を行い、破れるか砕かれて、または潰れて原型を保っていない不良弾丸B’、B”と不純物は、図４a乃至図４cに示しているように、弾丸移送軸１０２の右側端部に至る前に下方に落ちてしまう。従って、正常弾丸のみが選別され弾丸移送手段１３０に移送されるのである。
【０１０２】
前記のように螺旋状溝１０２aの端部まで移送された正常弾丸Bは、第２支持プレート１０６に形成された貫通ホール１０６aに挿入され、この貫通ホール１０６aに連通して設置された第１弾丸移送管１３２に流入されるのである。
【０１０３】
この時、弾丸Bはその自体の重さにより連続的に弾丸収容部１０１から弾丸移送軸１０２に誘い込まれ、前記弾丸移送軸１０２は前記駆動手段１１０により継続的に回転しながら弾丸選別の作業を行い、正常弾丸Bのみが前記固定ブロック１３１まで強制移送される。
【０１０４】
ここまでの弾丸を移送させる力はモーターMの回転力であり、前記固定ブロック１３１に至ってからは前記空気注入管１４１の空気圧により発射装置まで供給されるのである。
【０１０５】
従って、弾丸は、本発明の空圧供給手段１４０が弾丸移送手段１３０の長手方向の略中間部に設置されることから、本発明の略中間部まではモーターMの回転力により強制移送され、以降、発射装置までは空気圧の発射によって供給されるので、弾丸を発射装置まで供給するための空気圧の強さはあまり強くなくてもよく、使用者が発射装置を高く持ち上げることによって前記固定ブロック１３１と発射装置との高さの差が大きくなる場合も弾丸を発射装置まで円滑に供給することができるようになる。
【０１０６】
このように本発明の弾丸供給装置は、弾丸を発射装置に供給する構成であって、弾丸収容部から固定ブロックまではモーターMの力により弾丸を強制移送し、その以降は空気圧により弾丸を発射装置まで供給するので、モーターのみにより弾丸を発射装置まで移送時のモーター過負荷を防止することができ、中間部からは空気圧を用いて弾丸を発射するので目的の任意の位置まで弾丸を移送する時間を短縮することができる。
【０１０７】
本発明の他の実施の形態として、前記弾丸移送手段を前記螺旋状溝１０２aの先端部から発射装置まで連結する管状部材から構成し、前記管状部材の中間部に前記空圧供給手段を連通して設置しても良い。
【０１０８】
(弾丸選別装置)
本発明にかかる射撃ゲーム機は発射された弾丸を回収し前記弾丸供給装置に移送する前、不純物及び損傷弾丸を選別するための弾丸選別装置を更に含む。図５は本発明にかかる弾丸選別装置を示す斜視図であって、弾丸選別装置２００は回収した弾丸を整列するための弾丸整列手段２４０と、前記弾丸整列手段２４０の前方に配置され、二つの選別棒が並んで配置されて前記選別棒の間に供給された弾丸を選別する弾丸選別手段２５０と、前記弾丸選別手段２５０の一側に連結され弾丸選別手段２５０に回転力を提供する駆動手段２６０とを含んで構成される。
【０１０９】
前記弾丸整列手段２４０はコンベヤから移送された弾丸Bが転がれるように前方に向かって所定角度で下向きに傾いて形成されるベースプレート２４１と、前記ベースプレート２４１の前方端部に垂直に配置され前記ベースプレート２４１と離隔して設置される整列プレート２４３と、前記ベースプレート２４１と離隔せず垂直に配置され前記整列プレート２４３の一側に連結設置されて弾丸Bを整列プレート２４３側にガイドするガイドプレート２４５とから構成される
【０１１０】
前記整列プレート２４３は前記弾丸Bの直径よりやや大きい間隔をもって前記ベースプレート２４１と離隔して設置される。
【０１１１】
ここで、前記ベースプレート２４１は前方に向かって所定角度で下向きに傾いて形成されているので、コンベヤから移送された弾丸Bはベースプレート２４１に集まり、重力により自動的に前方に転がることになる。この時、前記ベースプレート２４１と整列プレート２４３の間の空間２４９により弾丸Bは一層に整列され前記弾丸選別手段２５０に供給される。
【０１１２】
前記弾丸選別手段２５０は前記ベースプレート２４１と整列プレート２４３の間の空間により一層に整列された弾丸Bの列と並行に配置され、外周面に螺旋状の溝を備えた駆動選別棒２５１と、前記駆動選別棒２５１と弾丸の略直径だけ離隔して配置された円筒状の従動選別棒２５５とから構成される。
【０１１３】
本発明の弾丸選別装置２５０は破れるか損傷して正常弾丸より小さくなった弾丸と、正常弾丸、及び正常弾丸より大きくなった弾丸をそれぞれ分離することができるように構成される。
【０１１４】
即ち、図６に示しているように、前記駆動選別棒２５１は外周面に形成された螺旋状溝の中心部の深さにより直径の異なる三つの区間に分けられるが、破かれるか砕かれて正常弾丸Bより小さくなった弾丸B’や不純物を分離するための第１区間(AA区間)と、正常弾丸Bを分離するための第２区間(BB区間)と、弾丸の発射過程で潰れてしまい、正常弾丸より大きくなった弾丸Ｂ”や不純物を分離するための第３区間(CC区間)とから構成される。
【０１１５】
前記第１区間(AA区間)は、前記螺旋状溝２５１aの中心部の深さと前記従動選別棒２５５との間の間隔が正常弾丸Bの直径より小さく形成されており、前記ベースプレート２４１と整列プレート２４３との間の空間を通して排出される全ての弾丸が前記第１区間(AA区間)に誘い込まれるよう、前記ガイドプレート２４５が設置される。
【０１１６】
従って、弾丸のうち正常弾丸Bや正常弾丸より大きくなった弾丸B”は前記螺旋状溝２５１aと従動選別棒２５５との間の間隔に置かれ、螺旋状の溝２５１aに沿って図上の右側に移送されるが、発射過程で破れたり砕かれたりした弾丸B’または不純物は前記螺旋状の溝２５１aと従動選別棒２５５との間の間隔を通して下方に落ち、別途に分離される。
【０１１７】
一方、前記第２区間(BB区間)は螺旋状溝２５１bの中心部の深さと前記従動選別棒２５５との間隔が正常弾丸Bの直径よりやや大きく形成されて、正常弾丸Bは第２区間(BB区間)の螺旋状の溝２５１bに沿って移送される過程で、前記螺旋状溝２５１bと前記従動選別棒２５５との間の間隔を通して下方に落ちてしまう。
【０１１８】
この時、前記第２区間(BB区間)の螺旋状溝２５１b の中心部の深さと従動選別棒２５５との間の間隔は、正常弾丸Bのみが通過することができる大きさに形成しなければならない。通常、正常弾丸の規格が直径５．９〜６mmであることに鑑み、前記螺旋状溝２５１bの中心部の深さと従動選別棒２５５との間の間隔を６mmより大きく形成するが、その公差があまり大きくてはいけない。
【０１１９】
また、第３区間(CC区間)はターゲットを撃つ過程で潰れてしまい、一面が非正常に大きくなった弾丸B”や不純物を分離するための区間であって、前記第１区間(AA区間)と第２区間(BB区間)の通過時、下方に落ちずに移送されてきた弾丸B”が落ちるように、駆動選別棒２５１の直径を小さくして従動選別棒２５５との間の間隔を大きく形成する。
【０１２０】
この時、それぞれの区間を通して分離される弾丸及び不純物を別に回収するために、前記第１区間(AA区間)及び第３区間(CC区間)の下部にボックスなどを備えなければならなく、前記第２区間(BB区間)の下部には正常弾丸を回収し発射装置に供給するための弾丸集合部(示せず)を備えることが望ましい。
【０１２１】
前記弾丸集合部はボックス状でも良く、弾丸を弾丸供給装置に移送させることができるトレイ(tray)状でも良い。
【０１２２】
上述のように構成された本発明にかかる空圧を用いた射撃ゲーム機の弾丸選別装置の作用及び効果を説明すると次の通りである。
【０１２３】
遊戯者により発射された弾丸Bはゲーム機のハウジングの底面に設置されたコンベヤベルトと通して移送され、弾丸選別装置２００のベースプレート２４１に落下する。
【０１２４】
前記ベースプレート２４１に伝達された弾丸Bは、ベースプレート２４１の斜面とガイドプレート２４５に沿って前方の整列プレート２４３に移動し、整列プレート２４３に移動された弾丸Bは整列プレート２４３とベースプレート２４１との間の空間を通して駆動選別棒２５１と従動選別棒２５５との間に誘い込まれる。
【０１２５】
この時、前記整列プレート２４３は弾丸Bの直径よりやや大きい空間が形成されるようにベースプレート２４１と離隔して設置されているので、整列プレート２４３の前に集められた弾丸Bは全て一層に整列されて整列プレート２４３とベースプレート２４１との間の空間を通過し、駆動選別棒２５１の第１区間(AA区間)の螺旋状溝２５１aに誘い込まれる
【０１２６】
前記螺旋状溝２５１a に誘い込まれた弾丸Bは、駆動手段２６０により回転を行う駆動選別棒２５１の螺旋状溝２５１aに沿って図上(図６参照)の右方に移送される。
【０１２７】
ここで、前記従動選別棒２５５は駆動選別棒２５１の螺旋状溝２５１aに挿入された弾丸Bと接し、共に回転することになる。
【０１２８】
前記駆動選別棒２５１は三つの区間に分けられており、前記第１区間(AA区間)は前記螺旋状溝２５１aの中心部の深さと従動選別棒２５５との間の間隔が正常弾丸Bの直径よりやや小さく形成されているので、図７aに示すように、正常弾丸Bは前記螺旋状溝２５１aと従動選別棒２５５との間の間隔に置かれ前記螺旋状の溝２５１aに沿って移送されるが、正常弾丸より小さくなった弾丸B’または不純物は下方に落ちてしまう。
【０１２９】
従って、第２区間(BB区間)の螺旋状溝２５１bには前記第１区間(AA区間)を通過した正常弾丸Bと正常弾丸より大きくなった弾丸B”及び不純物が移送されるが、前記第２区間(BB区間)の螺旋状溝２５１bの中心部の深さと従動選別棒２５５との間の間隔は正常弾丸Bよりやや大きく形成されているので、図７b示すように、正常弾丸よりやや大きくなった弾丸B”は前記螺旋状溝２５１bと従動選別棒２５５との間の間隔に置かれ螺旋状溝２５１bに沿って移送されるが、正常弾丸Bは第２区間(BB区間)の移送経路から離脱し下方に落ちてしまう
【０１３０】
下方に落ちてしまった正常弾丸Bは、前記弾丸集合部(示せず)に回収され、発射装置に弾丸を供給する弾丸供給装置に移送される。
【０１３１】
従って、第２区間(BB区間)を通過する過程で正常弾丸Bが選別されるのであり、正常弾丸より大きくなった弾丸B”及び不順物は第２区間(BB区間)を通過して第３区間(CC区間)に移送され、第３区間(CC区間)を通して別に分離されるのである。
【０１３２】
従って、駆動選別棒２５１と従動選別棒２５５との間の間隔を用いて弾丸の大きさによって不良弾丸と正常弾丸を選別するのである。
【０１３３】
前記弾丸選別の動作をもう少し詳述すると、前記駆動選別棒２５１の螺旋状溝２５１aに誘い込まれた弾丸は、駆動選別棒２５１と従動選別棒２５５の間に置かれた状態で、螺旋状溝２５１aに沿って左側から右側に移動する。この過程で駆動選別棒２５１の振動、弾丸と螺旋状溝２５１a の壁との摩擦などにより弾丸は自体回転を行い、破れるか砕かれて原型を保っていない弾丸B’は駆動選別棒２５１と従動選別棒２５５との間に留らず、駆動選別棒２５１の第１区間(AA区間)を通過する間、下方に落ちてしまう。その他の不純物も同様の方式で選別することができる。
【０１３４】
ここで、正常弾丸Bと正常弾丸より大きくなった弾丸B”、及び不純物は螺旋状の溝に沿って第２区間(BB区間)に移送され、正常弾丸より小さくなった弾丸B’や不純物は第１区間(AA区間)から移送経路を離脱して落ちてしまう。
【０１３５】
第２区間(BB区間)においても、このような方式により正常弾丸Bが選別され、移送経路を離脱し下方に落ちてしまった正常弾丸Bは発射装置に弾丸を供給するための弾丸供給装置に移送される。
【０１３６】
また、第1区間(AA区間)と第２区間(BB区間)を通過した弾丸B”も別に分離されるのである。
【０１３７】
上述した本発明の一実施の形態では、駆動選別棒の螺旋状溝の中心部の深さによって駆動選別棒と従動選別棒の間の間隔を三つの区間に分けたが、本発明のこうした実施の形態に何ら限定されるものでなく、発明の要旨を逸脱しない範囲内において、種々なる態様で実施し得ることは勿論である。
【０１３８】
一方、本発明の他の実施の形態として、一定な直径を有した駆動選別棒に同一な深さの螺旋状の溝を形成し従動選別棒の直径を三つの区間に異なって形成して、正常弾丸より小さくなった弾丸や不純物を分離するための第１区間(AA区間)と、正常弾丸を分離するための第２区間(BB区間)と、正常弾丸より大きくなった弾丸や不順物を分離するための第３区間(CC区間)とから構成して不良弾丸と正常弾丸を選別することができる。
【０１３９】
(過負荷防止装置)
本発明にかかる射撃ゲーム機は、前記弾丸選別装置の駆動選別棒２５１と従動選別棒２５５の間に不純物が挟んで、駆動選別棒２５１が回転を行われなくなった場合、モーターの回転軸と駆動選別棒との間に設置して、モーターを空回りするようにすることによってモーターの損傷を防止するモーター過負荷防止装置を更に含む。
【０１４０】
図８は本発明にかかる射撃ゲーム機のモーター過負荷防止装置を示す斜視図であって、本発明のモーター過負荷防止装置は、モーター３０１の動力による回転力を伝達する駆動軸３０１aに設置される第１カップリング３０２と、前記駆動軸３０１aの動力の伝達を受けて作動する出力軸３０４に設置される第２カップリング３０３と、前記第１カップリング３０２から第２カップリング３０３へモーター３０１の回転力を伝達する動力伝達手段３１０とから構成される。
【０１４１】
前記動力伝達手段３１０は前記第１カップリング３０２の先端部に挿入された状態で往復移動可能に設置されるものであって、これのため、前記第1カップリング３０２の先端部には所定深さの挿入溝３２１が形成される。
【０１４２】
前記動力伝達手段３１０は前記挿入溝３２１に挿入される弾性部材３１１と、前記挿入溝３２１に挿入された状態で前記弾性部材３１１に安着し往復移動可能なボール３１２とから構成され、前記第２カップリング３０３の前記第1カップリング３０２との接面には前記ホール３１２の一部分の挿入が可能なボール挿入溝３３１が形成される。
【０１４３】
前記挿入溝３２１は前記第１カップリング３０２の先端部に一定間隔で多数個が形成され、例えば、放射状に四つぐらい形成されることが望ましい。
【０１４４】
ここで、前記挿入溝３２１に挿入された弾性部材３１１は通常のスプリングを適用することが望ましく、本発明の一実施の形態では圧縮コイルスプリングを適用した。
【０１４５】
また、前記挿入溝３２１の入口は、前記弾性部材３１１とボール３１２が挿入された状態で、ボール３１２が外に離脱されないようにボール３１２の直径より小さく形成されなければならないが、これを具現するためにはいろいろな構造の適用が可能である。本発明ではその一実施の形態として、前記挿入溝３２１の開口部に前記ボール３１２の直径より小さい大きさの内径を有するリング３１３を固定設置した。
【０１４６】
この時、前記リング３１３は、ボール３１２が挿入溝３２１に挿入された状態で外部に露出される部分が多くあり得るように、その内径をボール３１２の直径と僅かの差で小さく形成することが望ましい。
【０１４７】
また、前記リング３１３は上面と下面とが平らで薄い厚さを有したものであって、前記リング３１３を固定させるための溝をリング３１３の厚さと同一な深さで挿入溝３２１の縁に形成して、前記リング３１３を第１カップリング３０２に結合させた時、その結合された外面、即ち第１カップリング３０２の先端面が平らになるようにする。
【０１４８】
この時、本発明では前記リング３１３を第１カップリング３０２に結合させる方法を限定するものではなく、ボルトを用いた締結などいろいろな構造が可能であることは勿論である。
【０１４９】
本発明の動力伝達手段３１０の前記ボール３１２は、弾性部材３１１に安着されて弾性支持されつつ第１カップリング３０２の外部に露出され、前記第１カップリング３０２と第２カップリング３０３との結合時、一部分が第２カップリング３０３のボール挿入溝３３１に挿入された状態でモーター３０１の回転力を第２カップリング３０３に伝達することができなければならなく、前記第２カップリング３０３に外力が加えられると前記弾性部材３１１を圧着させて前記挿入溝３２１の内に入ることができなければならない。
【０１５０】
これのため、前記弾性部材３１１の機械的な性質、例えば弾性限度・疲労限度・硬度などは非常に重要であり、本発明の一実施の形態で適用された圧縮コイルスプリングは上述の作用ができる弾性力を有していなければならない。
【０１５１】
前記のような構成を有した本発明のモーター過負荷防止装置の作用を説明すると次の通りである。
【０１５２】
図９は本発明にかかるモーター過負荷防止装置の端面図であって、図９aは第１カップリングと第２カップリングとが結合された状態を示す図であり、図９bは第１カップリングのみが回転している状態を示す図である。
【０１５３】
これに示すように、モーター３０１により回転を行う駆動軸３０１aを第１カップリング３０２に設置し、第１カップリング３０２のボール３１２を第２カップリング３０３のボール挿入溝３３１に挿入して第１カップリング３０２と第２カップリング３０３とを結合してからモーター３０１を回転させれば、前記ボール３１２は弾性部材３１１に弾性支持されつつ一部分が第２カップリング３０３のボール挿入溝３３１に挿入することになり、第１カップリング３０２の回転力を第２カップリング３０３に伝達することになって、第１カップリング３０２と第２カップリング３０３は共に回転を行い、第２カップリング３０３に結合された出力軸３０４が回転を行われることになる。
【０１５４】
ところが、前記第２カップリング３０３に固定された出力軸３０４に外力が作用して第２カップリング３０３の回転を妨害すると、第２カップリング３０３は回転を止めようとするが前記モーター３０１は回転し続けることになるので、第１カップリング３０２は回転し続けようとする力を受けることになる。
【０１５５】
この時、前記第２カップリング３０３のボール挿入溝３３１に挟まれて第１カップリング３０２と共に回転し続けていたボール３１２は、前記第２カップリング３０３の回転が止められると、前記弾性部材３１１に安着された状態で回りながら前記ボール挿入溝３３１から離脱し、図９bに示すように、前記弾性部材３１１に圧着力を加えながら挿入溝３２１に入り、第２カップリング３０３と第１カップリング３０２との接面に接することになる。
【０１５６】
従って、上述のようにボール３１２による第１カップリング３０２と第２カップリング３０３の結合が解除され、第１カップリング３０２は第２カップリング３０３とは別に回転し続ける。
【０１５７】
このように、第１カップリング３０２は第２カップリング３０３が回転を止められた状態で回転し続け、第１カップリング３０２と共に前記ボール３１２も回転することになるが、前記ボール３１２は第２カップリング３０３のボール挿入溝３３１に会って瞬間的にボール挿入溝３３１に挿入されるものの、第１カップリング３０２の回転により忽ちボール挿入溝３３１から離脱するようになり、このような作動の繰返しによって第１カップリング３０２のみが回転することになるので、モーター３０１に過負荷がかかることを防止することができる。
【０１５８】
(弾丸発射装置)
図１０及び図１１は本発明にかかる弾丸発射装置の内部を示すものであって、図１０は引金を引く前の状態を示す構成図であり、図１１は引金を引いた後の状態を示す構成図である。これに示すように、本発明の弾丸発射装置または空圧銃５０は空圧供給手段４５０に連結されている。前記空圧供給手段４５０はエアーコンプレッサ１０と、高圧管８０と、オン/オフバルブ４４５、４５５と、圧力調節バルブ４４３、４５３と、弾丸発射圧管９０と、弾丸供給圧管９５とから構成されている。前記弾丸発射圧管９０に連結された圧力調節バルブ４５３は図１の弾丸発射圧供給手段３０に相当する。また、弾丸供給圧管９５に連結された圧力調節バルブ４４３は図１の弾丸供給圧供給手段４０に相当する。従って、空圧供給手段４５０はオン/オフバルブ４４５、４５５を除けば図１の構成と同様である。即ち、空圧供給手段４５０は図１の構成にオン/オフバルブ４４５、４５５を追加しているものである。
【０１５９】
前記発射装置５０は本体４６１と、前記弾丸供給圧管９５に連結され弾丸を装填する弾丸装填管４６３と、前記弾丸発射圧管９０に連結され弾丸を発射する弾丸発射管４６５と、前記弾丸装填管４６３の弾丸を前記弾丸発射管４６５に移動させる引金４７０と、前記引金４７０の移動を感知しコントローラ(示せず)を通じてオン/オフバルブ４４５の開閉を調節する引金感知センサー４６７とを含んで構成する。
【０１６０】
前記引金４７０は引金体４７１と、前記引金体４７１の前方に突出形成されて引金感知センサー内に挿入される感知部４７３と、前記引金体４７１の後方に突出形成されて前記弾丸装填管４６３の弾丸Bを押して弾丸発射管４６５に移動させるプッシュ部４７５と、前記引金体４７１及び発射装置の本体４６１の間に介在されて引金に復元力を提供する弾性部材４７７のスプリングとから構成される。
【０１６１】
このように構成された本発明による空圧を用いた射撃ゲーム機の弾丸発射装置の作用及び効果を説明する。
【０１６２】
遊戯者がハウジングの発射装置差込口に発射装置を挿入してから発射装置の引金４７０を引くと、前記引金４７０の前方に形成された感知部４７３は引金感知センサー４６７から脱出し、前記引金感知センサー４６７は引金４７０の移動を感知して制御部に信号を伝達し、制御部に伝達された信号はエアーコンプレッサ１０に連結された弾丸発射圧管９０のオン/オフバルブ４５５を開放する。
【０１６３】
一方、これと同時に引金４７０を引くと、前記引金４７０の後方に形成されたプッシュ部４７５は弾丸装填管４６３の弾丸Bを弾丸発射管４６５に押し、前記弾丸発射管４６５に移動された弾丸Bは弾丸発射圧管９０から伝達された高圧の空気圧により銃口４６９に向かって移動し、発射装置５０の外部に発射される。
【０１６４】
遊戯者が発射装置５０の引金４７０を放すと、前記引金４７０の前方に形成された感知部４７３は引金感知センサー４６７の内に入り、前記引金感知センサー４６７は引金４７０の移動を感知して制御部に信号を伝達し、制御部に伝達された信号はエアーコンプレッサ１０に連結された弾丸発射圧管９０のオン/オフバルブ４５５を閉める。
【０１６５】
一方、これと同時に前記引金４７０を放すと、前記引金４７０の後方に形成されたプッシュ部４７５は弾丸発射管４６５から弾丸装填管４６３の一側に移動し、弾丸装填管４６３の弾丸は常時供給される弾丸供給圧管９５の低圧の空気圧により押し上げられ、発射待機位置に置かれる。前記弾丸供給圧管のオン/オフバルブはゲーム中には常に開いているようになり、ゲーム機の補修や交替時には閉めるようになる。
【０１６６】
引き続き、前記発射された弾丸Bはエアーコンプレッサ１０を通じて伝達される高圧の高気圧によりターゲットに向かう。前記発射された弾丸がゲーム機のハウジング(示せず)の後方に配置されたホルダー(示せず)のターゲットを命中時、前記ターゲットの下部に吊り下げている景品は下方に落下し、落下した景品はハウジングの底面に設置されたコンベヤを通して景品放出口(示せず)に放出され遊戯者に提供される。
【０１６７】
以上、本発明の実施の形態について説明したが、本発明のこうした実施の形態に何ら限定されるものでない。
【０１６８】
【発明の効果】
以上のように、本発明は下記のような効果を得る。
【０１６９】
上述したように、本発明にかかる射撃ゲーム機は、それぞれの発射装置５０に連結される弾丸発射圧管９０上に設置された弾丸発射圧調節バルブ３１の上流に圧力分配バルブ２０から分配された空気圧を臨時貯蔵する補助タンク３５を備えているので、エアーコンプレッサ１０の異常作動や高圧管８０から圧力が漏出される場合にも一定な圧力の弾丸発射圧をそれぞれの発射装置５０に供給するようになる。従って、本発明の射撃ゲーム機は常に一定なの発射速度を保つことができて遊戯者にゲーム性能に対する信頼性を与えることができる。
【０１７０】
なお、本発明の射撃ゲーム機は、エアーコンプレッサ１０から排出される水分を乾燥させることができるように、エアーコンプレッサの水分排出管１５の一端に水分乾燥手段７０を備えているので射撃ゲーム機の内部の汚染及び部品の腐食を予報することができ、更に周期的な排水作業が不要なので射撃ゲーム機の維持及び保守にかかる手間を省くことができる。
【０１７１】
また、本発明の射撃ゲーム機は弾丸供給装置を備えているので、不純物及び不良弾丸を選別し、正常弾丸のみを弾丸供給装置に供給するので、正常弾丸より小さくなった弾丸がライン内に供給されることによって、空気圧が漏れることを防止することができ、潰れて一面が大きくなった弾丸が弾丸移送手段や供給手段のラインに引っ掛かってゲーム機の作動を中止しなければならないという問題点を防止することができる。
【０１７２】
なお、少ない空気圧で弾丸を銃まで供給することができるので、装置内のモーターまたはエアーコンプレッサにかかる負荷を最小限できる。
【０１７３】
更に、装置の機械的な構成が簡単で故障の恐れが少ないので製品の信頼度を高めることができ、製品の生産コストを節減することができ、多数の弾丸を発射装置に一定の間隔で引き続き安定的に供給することができるという効果がある。
【０１７４】
さらに、本発明の射撃ゲーム機は弾丸選別装置を備えているので、破れるか砕かれて正常弾丸より小さくなったり、潰れてしまって正常弾丸より大きくなったりした不良弾丸及び不純物を早い時間内に分離し正常弾丸を選別することができる。これにより、不良弾丸が発射装置などの各種の装置に供給されて発生するような問題点を解消することができるという効果がある。
【０１７５】
また、本発明の射撃ゲーム機はモーター過負荷防止装置を備えているので、外力によって出力軸が回転できなくなった時、モーターに過負荷がかかることを防止することができる。従って、モーターの損傷することを防止することができるという効果がある。
【０１７６】
本発明により空圧銃を用いたゲーム機の発射装置はスプール、前記スプールを作動させるソレノイドバルブ及び前記ソレノイドバルブに空圧を伝達する別途の空圧伝達管などの不用なので、構造が簡単で組立てが容易であり、製造コストを節減し生産性を増大させることができ、遊戯者の使用上の不注意や衝撃による故障率が低くて製品の信頼度を高めることができるという効果がある。
【０１７７】
【図面の簡単な説明】
【図１】本発明にかかる射撃ゲーム機を示す概略図である。
【図２】本発明の弾丸供給装置の構成を斜視図である。
【図３】本発明の弾丸供給装置の全体構成及び作動を示す部分端面の正面図である。
【図４】図４aは弾丸移送軸から不良弾丸と不純物が分離されることを示す側端面図である。
図４bは弾丸移送軸から不良弾丸と不純物が分離されることを示す側端面図である。
図４cは弾丸移送軸から不良弾丸と不純物が分離されることを示す側端面図である。
【図５】本発明の弾丸選別装置を示す斜視図である。
【図６】本発明の弾丸選別装置を示す平面図である。
【図７】図７aは本発明の弾丸選別装置を示す側面図であって、正常弾丸より小さくなった弾丸が分離される態様を示す図である。
図７bは本発明の弾丸選別装置を示す側面図であって、正常弾丸が分離される態様を示す図である。
【図８】本発明のモーター過負荷防止装置を示す斜視図である。
【図９】図９aは本発明のモーター過負荷防止装置の端面図であって、第１カップリングと第２カップリングとの結合された状態を示す図である。
図９bは本発明のモーター過負荷防止装置の端面図であって、第１カップリングのみが回転する態様を示す図である。
【図１０】本発明の弾丸発射装置の内部を示す図であって、引金を引く前の態様を示す構成図である。
【図１１】本発明び発射装置の内部を示す図であって、引金を引く後の態様を示す構成図である。
【図１】
0003712665.tif 000002
【図２】
0003712665.tif 000003
【図３】
0003712665.tif 000004
【図４】
0003712665.tif 000005
【図５】
0003712665.tif 000006
【図６】
0003712665.tif 000007
【図７】
0003712665.tif 000008
【図８】
0003712665.tif 000009
【図９】
0003712665.tif 000010
【図１０】
0003712665.tif 000011
【図１１】
0003712665.tif 000012